(57)【要約】【課題】パチンコ遊技機における球払出装置を位置ずれなく、ぐらつきなく安定的に取り付けられ、しかも簡単に取り付けられ容易に着脱できるようにする。【解決手段】ベース部材１の取付面８に係合支点部１２を形成すると共に、該係合支点部から離間した該取付面の一部位に一対の棚部１３を適宜間隔を隔てて突設し、該棚部の受面１４は前記係合支点部を曲率中心とする略円弧面状に形成し、さらに該ベース部材の棚部付近に回転操作可能なる締結摘子１６を設ける一方、球払出装置には突片２４を形成すると共に該突片を曲率中心とする略円弧面状の乗面２５を該球払出装置の両側面に形成し、前記突片を前記係合支点部に係合し該球払出装置を回転させることで前記受面上に前記乗面をスライドさせることで該球払出装置を該棚部間に挟着状態として支持し、その状態で前記締結摘子を回転操作し該球払出装置をベース部材に密接状に取り付けられるようにした。【選択図】図２
2006218124.tif 000002
【特許請求の範囲】
【請求項１】
ベース部材の取付面に係合支点部を形成すると共に、該係合支点部から離間した該取付面の一部位に棚部を突設し、該棚部の受面は前記係合支点部を曲率中心とする略円弧面状に形成し、さらに該ベース部材の棚部付近に回転操作可能なる締結摘子を設ける一方、球払出装置には突片を形成すると共に該突片を曲率中心とする略円弧面状の乗面を形成し、前記突片を前記係合支点部に係合し該球払出装置を回転させることで前記受面上に前記乗面をスライドさせベース部材に密接状に取り付けられるようにしたことを特徴とする球払出装置の取付構造。
【請求項２】
ベース部材の取付面に係合支点部を形成すると共に、該係合支点部から離間した該取付面の一部位に一対の棚部を適宜間隔を隔てて突設し、該棚部の受面は前記係合支点部を曲率中心とする略円弧面状に形成し、さらに該ベース部材の棚部付近に回転操作可能なる締結摘子を設ける一方、球払出装置には突片を形成すると共に該突片を曲率中心とする略円弧面状の乗面を該球払出装置の両側面に形成し、前記突片を前記係合支点部に係合し該球払出装置を回転させることで前記受面上に前記乗面をスライドさせることで該球払出装置を該棚部間に挟着状態として支持し、その状態で前記締結摘子を回転操作し該球払出装置をベース部材に密接状に取り付けられるようにしたことを特徴とする球払出装置の取付構造。
【請求項３】
ベース部材と球払出装置との対向面に夫々導電端子を設け、球払出装置をベース部材に密接状に取り付けることで該導電端子を互いに合着させるようにしたことを特徴とする請求項１または２に記載の球払出装置の取付構造。
【発明の詳細な説明】
【技術分野】
【０００１】
本発明はパチンコ遊技機等の弾球遊技機における球払出装置の取付構造に関するものである。
【背景技術】
【０００２】
弾球遊技機における球払出装置は、周知のように点検，修理，交換等が可能なるように、プラスチック製のベース部材に対し着脱可能に取り付けられる。下記特許文献１に記載された球払出装置の取付構造は、球払出装置を囲うようにベース部材に複数のリブ状の規制部を一体に形成するとともに、該球払出装置に摘子形の操作部を有する可動体を回転可能に設け、該可動体に形成された係合突片をベース部材に一体に形成された鉤状の係合部に係合させることで、ベース部材に該球払出装置を固定するものであった。
【特許文献１】特開２００１−２９３１９５号公報（段落００２４）
【発明の開示】
【発明が解決しようとする課題】
【０００３】
ところで、従来の上記特許文献１に示された装置では、複数のリブ状の規制部によって球払出装置を囲うことで該球払出装置を位置決めしようとするものであるが、該球払出装置を取り付けるにあたっては、該規制部と該球払出装置の外周面との間に僅かながらも隙間を要するので、可動体による固定が緩むと、取付状態が不安定になり、ぐらつくおそれがあった。このため、球流路もずれて球詰まりの原因となるおそれがあった。また、プラスチック成形上の歪みによって一層ぐらつきが大きくなることがあった。
本発明はこのような問題点を解決しようとするものである。
【課題を解決するための手段】
【０００４】
そのために請求項１に記載した球払出装置の取付構造は、ベース部材の取付面に係合支点部を形成すると共に、該係合支点部から離間した該取付面の一部位に棚部を突設し、該棚部の受面は前記係合支点部を曲率中心とする略円弧面状に形成し、さらに該ベース部材の棚部付近に回転操作可能なる締結摘子を設ける一方、球払出装置には突片を形成すると共に該突片を曲率中心とする略円弧面状の乗面を形成し、前記突片を前記係合支点部に係合させた状態で該球払出装置を回転させることで前記受面上に前記乗面をスライドさせベース部材に密接状に取り付けられるようにしたことを特徴とする。
また、請求項２に記載した球払出装置の取付構造は、ベース部材の取付面に係合支点部を形成すると共に、該係合支点部から離間した該取付面の一部位に一対の棚部を適宜間隔を隔てて突設し、該棚部の受面は前記係合支点部を曲率中心とする略円弧面状に形成し、さらに該ベース部材の棚部付近に回転操作可能なる締結摘子を設ける一方、球払出装置には突片を形成すると共に該突片を曲率中心とする略円弧面状の乗面を該球払出装置の両側面に形成し、前記突片を前記係合支点部に係合し該球払出装置を回転させることで前記受面上に前記乗面をスライドさせることで該球払出装置を該棚部間に挟着状態として支持し、その状態で前記締結摘子を回転操作し該球払出装置をベース部材に密接状に取り付けられるようにしたことを特徴とする。
また、請求項３に記載した発明は上記球払出装置の取付構造において、ベース部材と球払出装置との対向面に夫々導電端子を設け、球払出装置をベース部材に密接状に取り付けることで該導電端子を互いに合着させるようにしたことを特徴とする。
【発明の効果】
【０００５】
請求項１および２に記載した発明では、球払出装置を位置ずれのおそれなく、またぐらつきなく安定的に取り付けられ、しかも簡単に取り付けられ容易に着脱できることから、球払出装置の点検，整備，交換等のメンテナンスを容易にする。
また請求項３に記載した発明では、球払出装置に内蔵されたステッピングモータ、センサ等の電気部品に電源線、検知信号線等が球払出装置をベース部材に取り付けると同時に導通させることができ、別途にコネクタを接続する必要がないので取り扱いが容易となる。
【発明を実施するための最良の形態】
【０００６】
次に本発明を実施するための最良の形態を図面に従い説明する。図１は本発明に係るパチンコ機の裏面図、図２はその要部の拡大斜視図である。図中、１は遊技盤２が取り付けられるプラスチック製枠状のベース部材、３はベース部材に取り付けられ景品用の遊技球が貯留される球タンク、４は該球タンクの下流に設けられた傾斜樋で、該傾斜樋の下端部には遊技球を下向きに案内するエルボ形の球誘導筒５が形成されている。６は流入口が該球誘導筒の下端開口に合致するようにベース部材１に取り付けられた球払出装置で、該球払出装置はその外装ケース７内にステッピングモータおよび該ステッピングモータの作動により所定数の遊技球を流下排出させる球送用ロータ、並びに、排出流路を切り替えるためのソレノイド、球計数用センサ等の電気部品を内蔵している。なお、６ａは球誘導筒５と連通するように該球払出装置に上端面に形成された球入口である。
【０００７】
また、図３は球払出装置６の取付部分の縦断面図、図４は該球払出装置６をベース部材１の取付面８に取付け、取外しする途中の縦断面図、図５は該球払出装置６をベース部材１の取付面８から取り外したときの斜視図である。球払出装置６の下側にはビス９により球払出樋１０と球抜樋１１が固設され、該球払出装置から排出された遊技球を該球払出樋を通してパチンコ機前面の球皿に流出させる。また、該球払出装置の排出流路が切り替えられることによって該球払出装置から排出された遊技球は球抜樋１１に排出され、該遊技球は遊技盤２より排出されたアウト球と合流して回収される。
【０００８】
しかして、取付面８の上部に下向ポケット状の形態に一対の係合支点部１２を形成すると共に、該係合支点部から離間した該取付面８の下部位に一対の棚部１３を適宜間隔を離して突設している。そして該各棚部の受面１４は前記係合支点部１２を曲率中心とする略円弧面状に形成する。また、前記球抜樋１１の外壁面に固植したビス１５により締結摘子１６を回転操作可能なるように設ける。１７は該球抜樋１１の上端開口縁に形成された一対のガイド片である。また、１８は取付面８に凹部８ａを形成し該凹部内に設けた導電端子、１９は球払出装置６に該導電端子１８と対となるように設けられた導電端子で、一方の導電端子１８は凹部８ａ内にビス２０により上下左右に微動可能なるように遊着されている。即ち、図４に示されるように導電端子１８に形成された取付片２１にバカ孔２２が開設され、該バカ孔に糸巻形状の短筒２３を遊嵌し、該短筒に貫挿したビス２０を凹部８ａ内壁面に固植することで該導電端子１８は微動可能に遊着され、他方の導電端子１９が該導電端子１８に差し込まれたとき該導電端子１９が該導電端子１８に対して位置が若干ずれていても該導電端子１８に微動が許容されることにより両端子が無理なく確実に合着するように構成される。
【０００９】
また、球払出装置６の外装ケース７の上端部に一対の角状の突片２４を形成すると共に、該外装ケース７の両側面に該突片を曲率中心とする略円弧面状の乗面２５を形成している。このため、図４に示したように、突片２４を前記係合支点部１２に係合させた状態で該球払出装置６を矢印で示したように回転させ前記棚部１３の受面１４上に該球払出装置６の乗面２５をスライドさせることで該球払出装置６を該棚部１３間に挟着状態として支持することができる。そしてこの状態で前記締結摘子１６を回転操作し、該締結摘子１６を該球払出装置６の下縁部に係合させることにより該球払出装置６は該取付面８に密接状に取り付けられる。なお、２６は該球払出装置６の下縁部に締結摘子１６の回転を停止させるために突設されたストッパである。また、球払出装置６を矢印で示したように回転させるとき前記ガイド片１７は該球払出装置６の下部両側面に当接し真直に取り付られるよう案内する。そしてそのとき導電端子１９が該導電端子１８に合着することで、該球払出装置６に内蔵されたステッピングモータ、センサ等の電気部品に電源線、検知信号線等を同時に導通させることができる。このため従来のように別途にコネクタを接続する作業を要しない。
【００１０】
このように、球払出装置６は略円弧面状の乗面を有する棚部１３によって支持され、しかもその両棚部間に挟着状態として球払出装置６が位置決めされることから、取付状態が安定し、締結摘子１６による固定がたとえ緩んだとしてもぐらつくことがない。このため従来のようにぐらつきが原因となって球詰まりを起こすようなおそれがない。しかも、工具を使用しなくても簡単に取り付けられ着脱が容易であり、位置ずれのおそれもないので、格別の知識を要することなく球払出装置を点検，整備，交換等をすることができるのでパチンコ遊技機のメンテナンスを容易にするなど顕著な利点がある。
【図面の簡単な説明】
【００１１】
【図１】本発明に係るパチンコ遊技機の裏面図。
【図２】図１の要部の拡大斜視図。
【図３】本発明に係るパチンコ遊技機における球払出装置の取付部分の縦断面図。
【図４】図３の球払出装置の取付け、取外し時の縦断面図。
【図５】本発明に係るパチンコ遊技機における球払出装置を取り外したときの斜視図。
【符号の説明】
【００１２】
１            ベース部材
６            球払出装置
７            外装ケース
８            取付面
１２          係合支点部
１３          棚部
１４          受面
１６          締結摘子
１７          ガイド片
１８，１９    導電端子
２４          突片
２５          乗面
【図１】
2006218124.tif 000003
【図２】
2006218124.tif 000004
【図３】
2006218124.tif 000005
【図４】
2006218124.tif 000006
【図５】
2006218124.tif 000007